(57)【要約】【課題】ディジタルフォトフレームに設けられた接続要求ボタンを押すだけで写真画像にメッセージを付与して情報の交換を行うことができるディジタルフォトフレーム情報交換システムを提供する。【解決手段】ディジタルフォトフレームに備えられた接続要求ボタン、又は表示画面上のソフトキーにより接続要求がなされ、機器サイトより接続要求を行ったディジタルフォトフレームに対応するモバイル機器またはＰＣに操作メニューが送信され、操作メニューは、写真画像に対応する画像識別符号の表示欄及びパスワード入力欄と、写真画像に対するメッセージの入力欄と、家族や友人から通知され公開を要求する他のディジタルフォトフレームの機器ＩＤ、画像識別符号、及びパスワード入力欄からなり、操作メニュー設定データが機器サイトに返信されて、メッセージ付き写真画像が生成され、公開元、配布先のディジタルフォトフレームに配布される。【選択図】図１
2010271843.tif 000002
【特許請求の範囲】
【請求項１】
通信ネットワークを介し、写真画像にメッセージが付与されたメッセージ付き写真画像の授受を行うディジタルフォトフレーム情報交換システムであって、
前記通信ネットワークには、
前記メッセージ付き写真画像の授受を行う固有の機器ＩＤを有する複数のディジタルフォトフレームと、
前記ディジタルフォトフレームに対応して、メッセージ付き写真画像の授受の指定、及び前記写真画像にメッセージを付与するためのモバイル機器またはＰＣと、
少なくともデータベースを有し、前記モバイル機器またはＰＣにより入力されたメッセージを、前記写真画像に付与し、メッセージ付き写真画像として前記データベースに保存すると共に、前記複数のディジタルフォトフレームに配信する機器サイトと、
が接続され、
前記ディジタルフォトフレームは、
該ディジタルフォトフレームに備えられたボタンスイッチの操作又は表示画面上に設定されたソフトキーの操作により、前記機器サイトに接続要求し、
該ディジタルフォトフレームの機器ＩＤ、メッセージを付与する写真画像の画像識別符号、及び該写真画像が初回送信である場合は該写真画像を送信する手段と、
前記機器サイトからメッセージ付き写真画像を受信する手段と、
を備え、
前記機器サイトは、
前記ディジタルフォトフレームから受信した前記画像識別符号を元に、前記データベースを照合し、メッセージを付与する写真画像の送信が初回である場合、前記ディジタルフォトフレームに、メッセージを付与する写真画像データのアップロード要求する手段と、
前記ディジタルフォトフレームの機器ＩＤ、前記画像識別符号及び前記写真画像を受信すると共に、前記画像識別符号を、前記写真画像及び前記ディジタルフォトフレームの機器ＩＤに対応づけたテーブルを生成して前記データベースに保存する手段と、
前記ディジタルフォトフレームからの接続要求に応答し、該接続要求を行ったディジタルフォトフレームに対応する予め登録されたモバイル機器またはＰＣに、メッセージ編集のための操作メニューを表示するＷｅｂページのＵＲＬが記載された電子メールを送信する手段と、
該モバイル機器またはＰＣから、操作メニューに応じて設定されたデータを受信する手段と、
前記画像識別符号を基に前記データベースを検索し、対応する写真画像を読み出し、該写真画像にメッセージを付与して前記メッセージ付き写真画像を生成しデータベースに保存する手段と、
前記ディジタルフォトフレームからの要求に応答し、前記画像識別符号を基に前記データベースを検索して前記メッセージ付き写真画像を読み出し、該メッセージ付き写真画像を公開元機器ＩＤ、配布先機器ＩＤを有するディジタルフォトフレームに送信する手段と、
を有し、
前記操作メニューは、前記公開元機器ＩＤに対応する、メッセージが付与される写真画像の画像識別符号表示欄、及び該画像識別符号の認証に用いられるパスワードの入力欄と、
該写真画像に付与するメッセージの入力欄と、
前記配布先機器ＩＤに対応する、他のディジタルフォトフレームの写真画像送信時に付与された画像識別符号入力欄と該画像識別符号の認証に用いられるパスワードの入力欄と、
からなることを特徴とするディジタルフォトフレーム情報交換システム。
【発明の詳細な説明】
【技術分野】
【０００１】
本発明は、ディジタルフォトフレーム間で、メッセージ付き写真を介して情報の交換を行うディジタルフォトフレーム情報交換システムに関する。
【背景技術】
【０００２】
写真は、本人のみならず、家族や友人にとっても関心の高い的であり、最近では、写真の殆んどがディジタルカメラで撮影され、ディジタルカメラで撮った写真を表示するディジタルフォトフレームが発売されている。
ところが、現在市販されているディジタルフォトフレームは、
１）ディジタルカメラなどで撮影した写真画像を読み込み、機器単独で表示して鑑賞するものであり、本人しか楽しめない。
２）従って、写真を介して離れて住んでいる家族の間、あるいは友人の間でコミュニケーション行おうとしても低廉で簡易な伝達手段がない、という問題点があった。
一方において携帯電話などのモバイル機器、又はパーソナルコンピュータ（以下ＰＣと云う）を用いインターネットを介したブログ、ＳＮＳ、相互リンク（ＳＥＯ／ＳＥＭ）などのコミュニケーションツールの発展は写真を介在した情報交換を一層容易にしている。
【０００３】
この様な状況において、ディジタルフォトフレームをインターネットに接続した特許出願に特許文献１がある。
しかしこの特許文献は、ネットワークにその都度接続を試みるものであり、操作が煩わしく、写真を介在したコミュニケーションを行うに適したものではない。
【先行技術文献】
【特許文献】
【０００４】
【特許文献１】国際公開第０１／０２２３９０号パンフレット
【発明の概要】
【発明が解決しようとする課題】
【０００５】
本発明は前記のような点に鑑みてなされたものであり、本発明の目的はディジタルフォトフレームに設けられた接続要求ボタン（または表示画面上のソフトキー）を押すだけで写真画像にメッセージを付与して情報の交換を行うことができるディジタルフォトフレーム情報交換システムを提供することにある。
【課題を解決するための手段】
【０００６】
上記目的を達成するためになされた本発明のディジタルフォトフレーム情報交換システムは、通信ネットワークを介し、写真画像にメッセージが付与されたメッセージ付き写真画像の授受を行うディジタルフォトフレーム情報交換システムであって、前記通信ネットワークには、前記メッセージ付き写真画像の授受を行う固有の機器ＩＤを有する複数のディジタルフォトフレームと、前記ディジタルフォトフレームに対応して、メッセージ付き写真画像の授受の指定、及び前記写真画像にメッセージを付与するためのモバイル機器またはＰＣと、少なくともデータベースを有し、前記モバイル機器またはＰＣにより入力されたメッセージを、前記写真画像に付与し、メッセージ付き写真画像として前記データベースに保存すると共に、前記複数のディジタルフォトフレームに配信する機器サイトと、
が接続され、前記ディジタルフォトフレームは、該ディジタルフォトフレームに備えられたボタンスイッチの操作又は表示画面上に設定されたソフトキーの操作により、前記機器サイトに接続要求し、該ディジタルフォトフレームの機器ＩＤ、メッセージを付与する写真画像の画像識別符号、及び該写真画像が初回送信である場合は該写真画像を送信する手段と、前記機器サイトからメッセージ付き写真画像を受信する手段と、を備え、前記機器サイトは、前記ディジタルフォトフレームから受信した前記画像識別符号を元に、前記データベースを照合し、メッセージを付与する写真画像の送信が初回である場合、前記ディジタルフォトフレームに、メッセージを付与する写真画像データのアップロード要求する手段と、前記ディジタルフォトフレームの機器ＩＤ、前記画像識別符号及び前記写真画像を受信すると共に、前記画像識別符号を、前記写真画像及び前記ディジタルフォトフレームの機器ＩＤに対応づけたテーブルを生成して前記データベースに保存する手段と、前記ディジタルフォトフレームからの接続要求に応答し、該接続要求を行ったディジタルフォトフレームに対応する予め登録されたモバイル機器またはＰＣに、メッセージ編集のための操作メニューを表示するＷｅｂページのＵＲＬが記載された電子メールを送信する手段と、該モバイル機器またはＰＣから、操作メニューに応じて設定されたデータを受信する手段と、前記画像識別符号を基に前記データベースを検索し、対応する写真画像を読み出し、該写真画像にメッセージを付与して前記メッセージ付き写真画像を生成しデータベースに保存する手段と、前記ディジタルフォトフレームからの要求に応答し、前記画像識別符号を基に前記データベースを検索して前記メッセージ付き写真画像を読み出し、該メッセージ付き写真画像を公開元機器ＩＤ、配布先機器ＩＤを有するディジタルフォトフレームに送信する手段と、を有し、前記操作メニューは、前記公開元機器ＩＤに対応する、メッセージが付与される写真画像の画像識別符号表示欄、及び該画像識別符号の認証に用いられるパスワードの入力欄と、該写真画像に付与するメッセージの入力欄と、前記配布先機器ＩＤに対応する、他のディジタルフォトフレームの写真画像送信時に付与された画像識別符号入力欄と該画像識別符号の認証に用いられるパスワードの入力欄と、からなることを特徴とする。
【発明の効果】
【０００７】
本発明により、下記効果を期待できる。
１）本人と家族や友人同士が、ディジタルフォトフレームに表示される写真を介して情報交換を行える。
２）写真へのメッセージの書き込みは、高価なリモコンを備えることなく、日頃使い慣れた携帯電話などのモバイル機器、又はＰＣを通じて行える。
３）写真へのメッセージの書き込みは、インターネットに接続された機器サイトへの接続要求ボタン（または表示画面上のソフトキー）を押すだけで容易に開始できる。
【図面の簡単な説明】
【０００８】
【図１】本発明の一実施形態による携帯電話を利用したディジタルフォトフレーム情報交換システムの正面図である。
【図２】図１に示すシステムにおいて、接続要求ボタンもしくは画面表示上のソフトキーの押下からメッセージ付き写真が表示されるまでの様子を表した概念図である。
【図３】本発明の一実施形態によるディジタルフォトフレーム情報交換システムのネットワーク構成図である。
【図４】ディジタルフォトフレームにおける通常時の写真画像表示フローの一例を示すものである。
【図５】ディジタルフォトフレームを携帯電話により登録する際の初期設定フローの一例である。
【図６】接続要求ボタン（または表示画面上のソフトキー）を押してメッセージ付き写真画像を処理する概要フローの一例である。
【図７】図６に示す概要フローにおける第１ブロックの詳細フローの一例である。
【図８】図６に示す概要フローにおける第２ブロックの詳細フローの一例である。
【図９】図６に示す概要フローにおける第３ブロックの詳細フローの一例である。
【図１０】写真画像データのアップロードを、ディジタルフォトフレームに備えられた操作ＳＷにより行うフローの一例である。
【発明を実施するための最良の形態】
【０００９】
以下、本発明のディジタルフォトフレーム情報交換システムを実施するための形態の具体例を、図面を参照しながら詳細に説明する。
［実施例１］
始めに、本発明の実施例１について、図１〜９を用いて説明する。
図１は、本発明の一実施形態による携帯電話を利用したディジタルフォトフレームの正面図である。
このシステムで用いられるディジタルフォトフレームはインターネットに接続される低廉な装置であって、備えられる操作ＳＷは電源ＳＷ、メニュー表示ボタン、メニュー項目選択操作並びに決定ボタン、接続要求ボタン（または表示画面上のソフトキー、両者を含めて本発明ではホットキーという）、ディジタルカメラなどの外部撮像機器とメモリカードやＵＳＢインタフェースなどを介して写真画像データを入出力する接続部にとどまる。
高価で高機能を有するリモコンや、文字入力用のキーは備えられていない。代わりに、本発明では、ディジタルフォトフレームの表示写真にメッセージを追加する場合、身近にあって日頃使い慣れた携帯電話などのモバイル機器、またはＰＣを利用する。（以下、通信ネットワークに接続されたモバイル機器またはＰＣとして、携帯電話を例にして説明する。又、ディジタルフォトフレームをＤＰＦと称する。）
【００１０】
図２は、図１に示すディジタルフォトフレームを用い、本人と家族や友人が、ディジタルフォトフレーム上のメッセージ付き写真を共有しながら、お互いにコミュニケーションを行う場合において、接続要求ボタン、または表示画面上のソフトキーの押下からメッセージ付き写真が表示されるまでの様子を表した概念図であり、電源を投入後、写真を表示中に接続要求ボタンを押してメッセージ付き写真を生成する場合の処理を示す。
１）ＤＰＦの接続要求ボタンを押すとインターネット上に構成された機器サイトとつながり、
２）機器サイトから、ＤＰＦに対応して予め登録された携帯電話に電子メールを通じて機器サイトのＵＲＬが通知されるので、電子メールに記載された機器サイトのＵＲＬにアクセスし、操作メニューが表示されるＷｅｂページを受信する。
３）操作メニューのメッセージ欄にメッセージを入力し機器サイトに返信する。
４）これにより、機器サイトは、予めＤＰＦから受信した写真画像に電子メールで受信したメッセージを付加し、メッセージ付き写真画像を生成し対応するＤＰＦに送信する。携帯電話に対応したＤＰＦだけでなく家族や友人の所有するＰＤＦにも送信することができ、同じ情報を共有することができる。
【００１１】
図３は、本発明の一実施形態によるディジタルフォトフレーム情報交換システムのネットワーク構成図であり、メッセージ付き写真画像の情報伝達を司る機器サイトに、本人及びその家族や友人などが所有するＤＰＦ３〜５と本人のＤＰＦ３に対応する携帯電話２６がインターネット等の通信ネットワーク２に接続されたシステムを示すものである。
【００１２】
図３の機器サイト１の構成手段について説明する。
１０は中央制御部であり、各サーバ及び各手段と連携してメッセージ付き写真画像を生成してＤＰＦに配信する際の一連の処理を司る。
１１のＷｅｂサーバは、Ｗｅｂページの生成及びＨＴＴＰによる通信管理等を行う。
１２のＦＴＰサーバは、ＤＰＦからアップロードされる写真画像データを受信する。
１３はメールサーバであって電子メールの送受信を管理する。本実施例１では機器サイト１とＤＰＦ３の間で、携帯電話２６を介して、メッセージ付写真画像を生成する場合のやりとりを行う場合に使用する。
１４はデータベースサーバであり、メッセージ付き写真画像の生成・配信に伴う各種の情報を記録するデータベース１９を管理する。
１５は写真画像データテーブル作成手段であって、データベースにおける、ＤＰＦに対応する機器ＩＤ、ログイン、パスワード、携帯電話のログイン、パスワード、電子メールアドレス、機器ＩＤに対応する画像識別符号、各画像識別符号に対応する公開元機器ＩＤ、配布先機器ＩＤ、写真画像データ、パスワードのテーブルを作成する。
１６はメッセージ付き写真画像生成手段である。
１７は写真画像データアップロード／ダウンロード管理手段であって、ＤＰＦからアップロードされた写真画像データを、ＦＴＰサーバ１２を介して受信する処理、及び機器サイト１から本人及び家族や友人等が所有するＤＰＦへＷｅｂサーバ１１を介してメッセージ付き写真画像データを送信する際の処理と、これらのデータのファイル管理を行う。
１８は、機器サイト１から携帯電話２６へ送信する送信メールの生成、及びその他の受信メールを処理するメール処理手段である。
１９は写真画像データを含む関連するデータを保存するデータベースであり、ＤＰＦの機器ＩＤ、画像識別符号、写真画像データ、メッセージ、パスワード等のデータを保存する。
【００１３】
図３に示すＤＰＦ３の構成について説明する。
２０はＤＰＦを制御する主制御装置（ＣＰＵ）であり、写真画像を表示するために必要な種々の処理を司る。
２１は記憶手段であり、ＲＡＭ、ＲＯＭ、フラッシュメモリ、ＳＳＤ等を含む。ＲＡＭ上の一次記憶エリアには、表示用ワーキングメモリエリアが設定され、現在表示されている写真画像データだけでなく、機器サイト１から受信する写真画像データもこのエリアに一時保管される。フラッシュメモリ、ＳＳＤ、ＨＤＤなどの固定記憶エリアは、ディジタルカメラ２７などで撮影された写真画像データを保存し、電源ＯＦＦ時は表示用ワーキングメモリエリアの写真画像データをセイブするエリアとしても使われる。
２２は、表示モード設定手段であって、メニュー操作ボタンなどを用い表示画像の選択、個別表示／スライドショウ表示の選択、表示時間間隔などを設定する。
２３は、写真画像表示手段であって、表示用ワーキングメモリエリアに設定された写真画像データを表示モードに従い画面表示する。
２４は、ＤＰＦ３が機器サイト１と写真画像データを送受信する手段であって、ＤＰＦ３からアップロードし、機器サイト１からダウンロードされる写真画像データを送受信する。
２５は写真画像データ入出力手段であり、ディジタルカメラ２７が備えるメモリカードやＵＳＢインタフェースなどを介して写真画像データを入出力する手段である。
２６は機器サイト１と操作メニューを介してメッセージ等を送受信する携帯電話などのモバイル機器またはＰＣである。
２７は、ディジタルカメラなどの外部撮像機器である。
【００１４】
ここで、ＤＰＦの操作ボタン及びその機能について触れておく。
本発明のＤＰＦは、図１の正面図に示すとおり、メニュー表示要求ボタン、表示メニューの項目を選択する上下左右方向の操作ボタン及び選択項目の決定ボタン、接続要求ボタンなどを備える。これらの操作ボタンにより下記の処理を行う。
１）画像ファイル一覧から或いは、サムネイル表示写真画像から表示写真画像を選択する。
２）個別表示／スライドショー表示の選択を行う。
３）表示時間間隔を設定する。
４）ディジタルカメラなどで撮影した写真画像データを、メモリカードなどを介して、記憶手段２１にロードし、又、保存された写真画像データをメモリカードにセイブする。
本発明ではこれらの機能に加えて、接続要求ボタンを設置し、写真画像に対してメッセージを付加する機能を有する。
【００１５】
なお、本実施例１のメーセージ付き写真画像は、図２に示すように、メッセージが写真の右又は左側に合成されているが、メッセージ合成法はこれに限定されない。メッセージを写真のどの部分に合成するかは任意である。
又、新旧メッセージをどのように表示するかの方法についても任意である。古いものは消去し、新しいもののみにするか、混在させるかは表示配置と共に任意である。
尚、メッセージには、送信者名、送信日時などが同時に表示される。
【００１６】
以下、メッセージ付き写真画像と、ＤＰＦ３〜５及び機器サイト１の動作について説明する。
【００１７】
予め、ＤＰＦ機器製造者や販売者或いはサービス提供者によって、インターネット等の通信ネットワーク２上に、ＤＰＦ３と送受信する機器サイト１が構築される。
機器サイト１がＤＰＦ３と送受信するためには、まずデータベース１９にその情報を登録する必要があり、一例として参照する機器サイトのデータベース１９の構成のデータは表１のとおりである。
テーブル上位は［ＤＰＦ］に関するデータ、テーブル下位は［写真画像］に関するデータである。
【表１】
2010271843.tif 000003
【００１８】
図４は、ＤＰＦ３における通常時の写真画像表示フローの一例を示すものであり、写真画像の表示方法は、以下のとおりである。
［電源ＯＮ］
ステップＳ１：電源をＯＮする。
ステップＳ２：前回電源ＯＦＦ時にセイブされたデータを、表示用ワーキングメモリエリアにロードする。ワーキングメモリ内の写真画像データ配列を表２に示す。
［画像表示］
ステップＳ３： 
１）表示設定は、メニューボタンを操作し、表示写真画像の選択、個別／スライドショー表示の選択、表示時間設定などを行う。
２）表示は、一例として、選択され、ワーキングメモリエリアに配置された写真画像データを、表２の特定エリアに移して行われる。
特定エリアは、機器サイトからダウンロードした写真画像データを表示するエリアとしても使用される。
【表２】
2010271843.tif 000004
表２において、画像識別符号１００は、アップロードする写真画像にＤＰＦ３が付与する識別符号である。
この画像識別符号１００を、接続要求ボタン３０を押下した場合、機器ＩＤやパスワードと共にＨＴＴＰにより機器サイト１に送信する。
ＤＰＦ３は、画像識別符号１００を初めて送信する場合、写真画像データをＦＴＰによりアップロードし、機器サイト１のデータベース１９に上記データと共に登録する。
機器サイト１は、画像識別符号１００を受信したときデータベース１９と照合し、一度保存されたデータの場合、再度写真画像データを要求しないが、初回は、写真画像データの送信をＤＰＦに要求する。
これによりＤＰＦ３は写真画像データを毎回送信する必要がなくなり、トラフィック資源を節約することができる。
また、他のＤＰＦが配布元になった写真画像の他画像識別符号１０１は、本人以外のＤＰＦで付与された写真画像の画像識別符号を表している。
［電源ＯＦＦ］
ステップＳ４：電源をＯＦＦする。
ステップＳ５：ワーキングメモリの写真画像データをフラッシュメモリやＳＳＤなどにセイブし、次回電源ＯＮ時、再ロードすることで、再表示の時間を短縮する。
【００１９】
なお、表示されている写真画像データをディジタルカメラ２７などの外部撮像機器や記憶手段２１にセイブする操作は、ＤＰＦ３に備えられているメニューボタンにより随時行うことができる。
【００２０】
次に、「ＤＰＦ３」と「機器サイト１」間における、メッセージ付き写真画像の処理について、図５〜１０を参照しながら説明する。
［初期設定］
図５は、ディジタルフォトフレームを携帯電話により登録する際の初期設定フローの一例である。
ＤＰＦ３には、最初に、接続する機器サイト１のＵＲＬ等のアクセス用の通信アドレスとアクセス用のログイン名とパスワードを登録しておく。
ステップＳ１０：携帯電話２６からＷｅｂブラウザを起動して機器サイト１にアクセスする。
ステップＳ１１：機器サイト１は登録用の入力欄が記載されたＷｅｂページを携帯電話２６に送信する。
ステップＳ１２：携帯電話２６に表示されたＷｅｂページの入力欄に、対応するＤＰＦ３の機器ＩＤ、ログイン名、パスワード、携帯電話２６のログイン名、パスワード、電子メールアドレス等を入力して、その情報を機器サイト１に送信する。
ここでＤＰＦの機器ＩＤは、機器サイト１がメッセージ付き写真画像データを、メッセージを書き込んだＤＰＦにそのアドレスを特定して送信する際に必要な情報であり、また、同一写真画像に対して、家族、友人が公開要求を行ったＤＰＦを特定してメッセージ付き写真画像データを送信する際に必要な情報である。
この機器ＩＤは、機器サイト１のデータベース１９に、画像識別符号に対応した公開元機器ＩＤ及び配布先機器ＩＤとして表１テーブルの下位に登録されている。
又、メールアドレスは、機器サイト１から、ＤＰＦ３に対応する携帯電話２６にメッセージ付与のための「操作メニュー１０４」を送信する際に必要なデータである。
ステップＳ１３：機器サイト１はＷｅｂサーバ１１を介して携帯電話２６から受信したデータを基に、データベースサーバ１４において必要なテーブルを生成し、受信データと共にデータベース１９に保存する。
（表1データ参照）
ステップＳ１４：機器サイト１は、登録が完了した旨のＷｅｂページを携帯電話２６に電子メールで通知する。
リアルタイムでデータベースへの登録が可能な場合は、操作メニューデータ受信に続いて登録完了のＷｅｂページをそのまま携帯電話へ送信するようにしても良い。
【００２１】
［表示モード切替操作］
写真画像表示中において、ＤＰＦ３に供えられた接続要求ボタン３０（または表示画面上のソフトキー）を押下することによって表示モード切替操作を実施する。
図６は、接続要求ボタン３０（または表示画面上のソフトキー）を押してメッセージ付き写真画像を処理する概要フローの一例であり、ＤＰＦ３及び携帯電話２６と機器サイト１の間のやりとりの概要を示す。
図６のブロック１〜３の動作を、図７〜９の詳細フローを基に説明する。
【００２２】
図７は、図６に示す概要フローにおける第１ブロックの詳細フローの一例である。
ステップＳ２０：機器サイト１は、受信データによりＤＰＦ３の機器ＩＤと、
ステップＳ２１：ＤＰＦ３で付与された画像識別符号１００を読み込み。
ステップＳ２２：データベース１９より画像テーブル（表１）を読み出し、
ステップＳ２３：画像識別符号１００がデータベース１９に登録されているか否かチェックする。
ステップＳ２４：登録されていなければ、機器サイト１は接続要求ボタン３０により接続要求を行ったＤＰＦ３に対して、写真画像データのアップロードを要求する。
要求されたＤＰＦ３は、写真画像データをアップロードする。
ステップＳ２５：機器サイト１は、送信された写真画像データを受信する。
ステップＳ２６：アップロードした画像識別符号１００と写真画像データを表１の内容に従い、データベース１９にセイブする。
ステップＳ２７：次いで、先に入手したＤＰＦ３に対する電子メールアドレスに従い、ＤＰＦ３の携帯電話に対し、操作メニュー１０４の画面データを設定する。
ステップＳ２８：設定した操作メニュー１０４の画面をメールにて送信する。
【００２３】
図８は、図６に示す概要フローにおける第２ブロックの詳細フローの一例である。
ステップＳ３０：ＤＰＦ３の携帯電話には、表３に示す操作メニュー１０４の画面が表示される。
【表３】
2010271843.tif 000005
左上には、現在表示画像に対する画像識別符号１００が表示されるので、この画像に対するパスワード１０２を入力する。両データは控えておく。
ステップＳ３１：現在表示画像を公開したい場合は、上記で控えた画像識別符号１００とパスワード１０２を家族、友人に通知する。
ステップＳ３２：メッセージ欄に携帯電話を操作して、家族、友人に伝言したい事項、表示中の画像に対する感想などを入力する。
この場合のメッセージは、携帯のキーを使ったテキストデータだけでなく、携帯電話で利用できる、あらゆるデータ（絵文字などのシンボルマーク、写真画像、動画、音声データなど）を含むものとする。
ステップＳ３３：一方家族、友人から通知され、現ＤＰＦに表示させたい写真がある場合は、通知された他画像識別符号１０１と、パスワード１０２を入力する。入力は表示要求する写真枚数分だけ行う。
ステップＳ３４：上記データを入力後、機器サイト１に送信する。
【００２４】
図９は、図６に示す概要フローにおける第３ブロックの詳細フローの一例である。
ステップＳ４０：機器サイト１はメールデータを読み出し、
ステップＳ４１：メッセージ入力があるかどうかを調べ、
ステップＳ４２：メッセージ入力がある場合は、現ＤＰＦに表示されている画像識別符号１００に対応する写真画像データをデータベース１９から読み出し、メッセージ付き写真画像生成手段１６により、読み出した写真画像データにメッセージを合成する。
ステップＳ４３：合成したメッセージ付き写真画像データはデータベース１９にセイブした後、
ステップＳ４４、Ｓ４５：表１テーブルの下位データに基づき、現ＤＰＦ（公開元ＤＰＦ）と、それまでにその画像識別符号１００に公開要求のあった全てのＤＰＦ３（配布先機器ＩＤ）に対して、表示ワーキングメモリエリアの特定エリアにダウンロードする。
その結果、現ＤＰＦにはメッセージの合成された写真画像が表示される。また、その写真画像に対して家族、友人が表示要求してあった場合は、その家族、友人のＤＰＦ３にも表示される。
ステップＳ４６：一方、公開要求画像欄に他画像識別符号、並びにパスワードの入力がある場合は、公開要求のあった写真画像データをデータベース１９から読み出してきて、
ステップＳ４７：入力されたパスワード１０２と登録されたパスワード１０２をチェックし、一致していれば、
ステップＳ４８：データベースの他画像識別符号の配布先に、表示要求する現ＤＰＦの機器ＩＤを追加し、
ステップＳ４９：現ＤＰＦの表示ワーキングメモリエリアに写真画像データをダウンロードする。
ダウンロードは、ステップＳ４４、Ｓ４５で記載した手法により行う。
ステップＳ５０：配布先機器ＩＤの登録とダウンロードとは、公開要求のあった写真画像の数だけ行う。
【００２５】
ここで写真画像データのダウンロードについて記載しておけば、現状のインターネット通信環境では、セキュリティの問題から機器サイト１からクライアントのＤＰＦ３へ写真画像データをダウンロードできないので、ＤＰＦ３側からＨＴＴＰプロトルを用い、Ｗｅｂサーバ１１にアクセスし、機器サイト１から写真画像データを取り出す（受信する）形式を採る。
この場合、ＤＰＦ３と機器サイト１が接続中である場合は、そのままの状態で写真画像データの取り込みが行える。
しかしステップＳ４４において、機器サイトが、接続中でない配布先ＤＰＦ４，５に写真画像データのダウンロードを行う場合は、機器サイト１から携帯電話２６、もしくはＰＣに対するメールなどにより、メッセージ付き写真画像が生成されたことを配布先ＤＰＦ４，５に通知し、通知された配布先ＤＰＦ４，５が接続要求を行い、写真画像データを取り出す（受信する）形式を採る。  
この場合の１つの方法として、メールにより通知を受けた配布先ＤＰＦ４，５が接続要求ボタン３０を押し、表３に示す操作メニューの公開要求画像の他画像識別符号、パスワード入力欄が既に機器サイトによって設定された操作メニュー画面を受け取り、この画面をそのまま送信し、ステップＳ４９により、メッセージ付き写真画像データを受信する方式が考えられる。
この他、ＤＰＦ３〜５側から定期的に機器サイトの自ＤＰＦ３〜５に係るデータを読み出し、メッセージ付き写真画像データを受信する方式であってもよい。
将来的には、インターネットアドレスの拡張を行うＩＰｖ６規準が制定されるならば、機器サイト１からＤＰＦ３に直接ダウンロードできる環境が整う。
【００２６】
［実施例２］
接続要求ボタン３０のＯＮ操作によって行われる図７、Ｓ２４のアップロード操作は、一枚の写真画面のアップロードにとどまる。
家族、友人に写真を公開したい場合は、複数枚に及ぶのが通例である。複数枚の写真画像データのアップロードに備えて、メニュー操作の中に、写真画像のサムネイル表示を行い、そこから画像を選び機器サイト１へ送信する方法が考えられる。
図１０は、複数枚写真画像データのアップロードを行うフローの一例である。
ステップＳ５０：メニュー操作により、写真のサムネイル表示を行い、その中から画像を選択し、メニュー表示上の写真画像データアップロードボタンを押す。
送信の際、メニュー画面に画像識別符号及びパスワードが表示されるので控えておき、家族、友人に連絡する。
画像識別符号は連番で、パスワードは同一のデータであることが好ましい。
ステップＳ５１：機器サイト１はＷｅｂサーバ１１で機器ＩＤ、画像識別符号及びパスワードを受信する。
又、ＦＴＰサーバ１２で写真画像データを受信する。
ステップＳ５２：受信した上記両データを写真画像データテーブル作成手段１５により表１の形式に従いデータベース１９にセイブする。
【００２７】
［実施例３］
本発明は、ＤＰＦ３に設けられた「接続要求ボタン３０」を押して、機器サイト１への接続を行ったが、このボタンは、メニュー画面に表示される「ソフトキー」を押すことによっても実施できる。
予めパネルに「ソフトキー」用の感応ＳＷ部を設けておき、メニュー画面の「ソフトキー」位置を感応ＳＷ部に合わせておけば、ハードウエアの押しボタンＳＷに換えて同様な操作を行うことができる。
この構造によれば、装置表示部がよりシンプルになる。
【００２８】
以上、図面を参照しながら、本発明を実施するための形態について説明したが、本発明は、上述の実施形態に限られるものではなく、本発明の技術的範囲から逸脱しない範囲で多様に変更実施することが可能である。
【産業上の利用可能性】
【００２９】
本発明は、ディジタルフォトフレーム、ディジタルフォトフレームに対応したモバイル機器、ＰＣ、及び機器サイトがインターネットに接続されたウェブ環境において、メッセージ付き写真を介在して、家族や友人がコミュニケーションを行えるディジタルフォトフレーム情報交換システムの分野に適用できる。
【符号の説明】
【００３０】
１  機器サイト
２  通信ネットワーク
３  ディジタルフォトフレーム（ＤＰＦ）
４  ＤＰＦ（２）（家族）
５  ＤＰＦ（３）（友人）
１０  中央制御部
１１  Ｗｅｂサーバ
１２  ＦＴＰサーバ
１３  メールサーバ
１４  データベースサーバ
１５  写真画像データテーブル作成手段
１６  メッセージ付き写真画像生成手段
１７  写真画像データアップロ−ド／ダウンロード管理手段
１８  メール処理手段
１９  データベース
２０  ＣＰＵ
２１  記憶手段
２２  表示モード設定手段
２３  写真画像表示手段
２４  写真画像データ送受信手段
２５  写真画像データ入出力手段
２６  携帯電話（モバイル機器またはＰＣ）
２７  ディジタルカメラなどの外部撮像機器
３０  接続要求ボタン
１００  画像識別符号
１０１  他画像識別符号
１０２  パスワード
１０４  操作メニュー
【図１】
2010271843.tif 000006
【図２】
2010271843.tif 000007
【図３】
2010271843.tif 000008
【図４】
2010271843.tif 000009
【図５】
2010271843.tif 000010
【図６】
2010271843.tif 000011
【図７】
2010271843.tif 000012
【図８】
2010271843.tif 000013
【図９】
2010271843.tif 000014
【図１０】
2010271843.tif 000015